(57)【要約】      （修正有）【課題】発光ダイオードの駆動装置を使用し、交流電流の正および負のハーフサイクルのエネルギーを同一化させて、発光ダイオードの光源がチラツキ現象を発生させることを回避する照明設備を提供する。【解決手段】発光ダイオードの駆動装置であり、この駆動装置が調光マッチング回路と電圧転換ユニットと駆動チップとを含む。調光マッチング回路が交流電源を受信でき、かつ交流電流の正および負のハーフサイクルのエネルギーを同一化させることができて、対称交流電源を発生させる。電圧転換ユニットが調光マッチング回路に連結されるとともに、対称交流電源を受信し、かつ安定直流電源へ変換する。駆動チップが電圧転換ユニットに連結されるとともに、安定直流電源を受信でき、かつ発光ダイオードユニットの光源輝度を駆動かつ調整できて、発光ダイオードユニットが調光期間にチラツキ現象を発生させることを回避する。【選択図】図１
0003172933.tif 000002
【実用新案登録請求の範囲】
【請求項１】
発光ダイオードの駆動装置であり、調光器および変圧ユニットによる調整を経た後の交流電源を受信することに適したものであって、前記駆動装置が、
前記交流電源を受信するとともに、前記交流電源の正のハーフサイクルエネルギーおよび負のハーフサイクルエネルギーを同一化して、対称交流電源を発生させる調光マッチング回路と、
前記調光マッチング回路に連結され、前記対称交流電源を受信かつ安定直流電源に転換する電圧転換ユニットと、
前記電圧転換ユニットに連結され、前記安定直流電源を受信して発光ダイオードユニットの光源輝度を駆動かつ調整する駆動チップと、
を含む発光ダイオードの駆動装置。
【請求項２】
前記調光マッチング回路が、第１マッチング入力端と第２マッチング入力端と第１マッチング出力端と第２マッチング出力端とを有するとともに、前記調光マッチング回路が、
前記第１マッチング入力端および前記第１マッチング出力端間に連結される第１抵抗器と、
前記第２マッチング入力端および前記第２マッチング出力端間に連結される第２抵抗器と、
第１端が前記第１マッチング出力端に連結される第１キャパシターと、
前記第１キャパシターの第２端および前記第２マッチング出力端間に連接される第３抵抗器と、
前記第１キャパシターの第２端および前記第２マッチング出力端間に連接される第４抵抗器とを含み、
そのうち、前記第１ならびに前記第２マッチング入力端が前記交流電源を受信するために使用され、前記第１ならびに第２マッチング出力端が前記対称交流電源を出力するために使用される請求項１記載の発光ダイオードの駆動装置。
【請求項３】
前記電圧転換ユニットが、
前記調光マッチング回路に連結されて、前記対称交流電源を受信するとともに、前記対称交流電源に対して全波整流を行って、前記安定直流電源を出力するブリッジ整流器を含む請求項１記載の発光ダイオードの駆動装置。
【請求項４】
前記電圧転換ユニットが更に、
第１端が前記ブリッジ整流器に連結されて前記安定直流電源を受信し、その第２端が接地電位に連結されるフィルターキャパシターを含む請求項３記載の発光ダイオードの駆動装置。
【請求項５】
前記駆動チップが、
降圧直流電源を受信するとともに、前記発光ダイオードユニットの光源輝度を駆動かつ調整する駆動ユニットと、
前記安定直流電源を受信し、かつ前記駆動ユニットの電圧規格に従い前記安定直流電源を前記降圧直流電源へ転換する降圧回路と、
を含む請求項１記載の発光ダイオードの駆動装置。
【請求項６】
前記駆動チップが更に、
前記降圧回路に連結されて、前記降圧直流電源を検知するとともに、前記降圧直流電源が最小操作電圧より小さいことを検知した時、前記駆動ユニットに前記発光ダイオードユニットの駆動を停止するよう強制する検知ユニットを含む請求項５記載の発光ダイオードの駆動装置。
【請求項７】
前記駆動チップがＭＲ１６電器規格に適合する発光ダイオードユニットの駆動チップである請求項１記載の発光ダイオードの駆動装置。
【請求項８】
前記調光器が、少なくとも三極管交流スイッチ（トライアック）を含むものである請求項１記載の発光ダイオードの駆動装置。
【請求項９】
導通条件に従って交流電源を発生させる調光制御ユニットと、
前記交流電源を受信するとともに、前記交流電源の正のハーフサイクルエネルギーおよび負のハーフサイクルエネルギーを同一化して、対称交流電源を発生させる調光マッチング回路と、前記調光マッチング回路に連結されるとともに、前記対称交流電源を受信かつ安定直流電源へ転換する電圧転換ユニットと、前記電圧転換ユニットに連結され、前記安定直流電源を受信して発光ダイオードユニットの光源輝度を駆動かつ調整する駆動チップとを有する駆動装置と、
を備える発光ダイオードの照明設備。
【請求項１０】
前記調光制御ユニットが、
前記導通条件に従い調光電源を発生させる調光器と、
前記調光器に連結されて、前記調光電源を受信かつ前記交流電源に調整する変圧ユニットと、
を含む請求項９記載の発光ダイオードの照明設備。
【請求項１１】
第１マッチング入力端と第２マッチング入力端と第１マッチング出力端と第２マッチング出力端とを具える前記調光マッチング回路が、
前記第１マッチング入力端および前記第１マッチング出力端間に連結される第１抵抗器と、
前記第２マッチング入力端および前記第２マッチング出力端間に連結される第２抵抗器と、
その第１端が前記第１マッチング出力端に連結される第１キャパシターと、
前記第１キャパシターの第２端および前記第２マッチング出力端間に連接される第３抵抗器と、
前記第１キャパシターの第２端および前記第２マッチング出力端間に連接される第４抵抗器と、を含み、
そのうち、前記第１ならびに第２マッチング入力端が前記交流電源を受信するために使用され、前記第１ならびに第２マッチング出力端が前記対称交流電源を出力するために使用される請求項９記載の発光ダイオードの照明設備。
【請求項１２】
前記電圧転換ユニットが、
前記調光マッチング回路に連結されて、前記対称交流電源を受信するとともに、前記対称交流電源に対して全波整流を行って、前記安定直流電源を出力するブリッジ整流器を含む請求項９記載の発光ダイオードの照明設備。
【請求項１３】
前記電圧転換ユニットが更に、
第１端が前記ブリッジ整流器に連結されて前記安定直流電源を受信し、その第２端が接地電位に連結されるフィルターキャパシターを含む請求項１２記載の発光ダイオードの照明設備。
【請求項１４】
前記駆動チップが、
降圧直流電源を受信するとともに、前記発光ダイオードユニットの光源輝度を駆動かつ調整する駆動ユニットと、
前記安定直流電源を受信し、かつ前記駆動ユニットの電圧規格に従い前記安定直流電源を前記降圧直流電源へ降圧する降圧回路と、
を含む請求項９記載の発光ダイオードの照明設備。
【請求項１５】
前記駆動チップが更に、
前記降圧回路に連結され、前記降圧直流電源を検知するとともに、前記降圧直流電源が最小操作電圧より小さいことを検知した時、前記駆動ユニットに前記発光ダイオードユニットの駆動を停止するよう強制する検知ユニットを含む請求項１４記載の発光ダイオードの照明設備。
【請求項１６】
前記調光器が少なくとも三極管交流スイッチ（トライアック）を含むものである請求項１０記載の発光ダイオードの照明設備。
【請求項１７】
前記駆動チップがＭＲ１６電器規格に適合する発光ダイオードユニットの駆動チップである請求項９記載の発光ダイオードの照明設備。
【考案の詳細な説明】
【技術分野】
【０００１】
この考案は、発光ダイオード（Light Emitting Diode = LED）の照明技術に関する。特に、この考案は、ＬＥＤの駆動装置およびそれを使用する照明設備に関する。
【背景技術】
【０００２】
照明技術中、よく利用される調光器（dimmer）、例えば、トライアック（Tri-electrode AC switch = TRIAC  三極管交流スイッチ）は、照明設備の照度（輝度）を調整するために使用される。調光器は、その導通条件により電圧を提供して電気抵抗を微調整する方式によって照明設備の発光素子（例えば、ハロゲンランプまたはタングステンフィラメントランプ等）の発光効果を調整することができる。家庭内部の調光器は、照明設備と別に設置され、例えば、調光器を内壁の適当な位置に設置して、使用者が容易にランプ照度（輝度）を調整できるようにする。
【０００３】
また、省エネルギー炭素削減という技術的要求に従って、発光ダイオード（Light Emitting Diode = LED）は、体積が小さく、省電力かつ耐久性があるという利点を有するとともに、発光ダイオードの製造過程および大量生産の向上によりそのコストが低下した故に、発光ダイオードが次第に新世代の光源となって来ている。発光ダイオードの作動電圧が低く、能動的に発光でき且つ一定の輝度を備え、輝度が電圧または電流を使用して調節できると同時に、耐衝撃性、抗振動性、長寿命（１０万時間）という特長を備える。これにより、発光ダイオードは、各種の末端設備ならびに照明領域において広範に使用され、例えば、自動車の前照灯、交通信号灯、文字ディスプレイ、看板および大スクリーンビデオディスプレイから一般建築照明ならびにＬＥＤバックライト等の領域にまで及んでいる。
【考案の概要】
【考案が解決しようとする課題】
【０００４】
コスト削減に考慮して、消費者が一般に元の照明設備ベースおよび調光スイッチを変更したくないと希望する状況のもと、電気抵抗式ランプをＬＥＤランプに取り替えたいだけであり、それにより電力消耗を節約するとともに、照明設備全体を取り替えるという悩みを回避したいと思っている。また、電気抵抗式ランプと比較した場合、ＬＥＤを駆動するために安定した直流（ＤＣ）電源を提供してチラツキを減少させる必要があるとともに、電源ノイズサージ（power noise surge）および電源エネルギードリフト（power energy drift）に対する許容性が低い。さらに、ＬＥＤの回路特性がキャパシター特性を呈するため、調光器および電子変圧器により調整した後の交流（ＡＣ）電源を直接利用するとともに、ＬＥＤ駆動器によってＬＥＤランプを駆動する時、ＬＥＤランプの光源輝度がチラツキ現象（flickering phenomenon）をほぼ発生させるものとなっている。
【０００５】
そこで、この考案の目的は、発光ダイオードの駆動装置およびそれを使用する照明設備を提供し、トライアック（Tri-electrode AC switch = TRIAC）の調光器を組み合わせることによって、交流電流の正および負のハーフサイクルのエネルギーをマッチさせる(match)ことができ、それにより発光ダイオードの光源がチラツキ現象を発生させることを回避することにある。
【課題を解決するための手段】
【０００６】
この考案は、発光ダイオードの駆動装置を提供し、調光器および変圧ユニットにより調整された後の交流電源を受信することに適している。この駆動装置が調光マッチング回路（dimming match circuit）と電圧転換ユニットと駆動チップとを含む。調光マッチング回路が交流電源を受信でき、かつ交流電流の正および負のハーフサイクルのエネルギーを同一化することができて、対称交流電源を発生させる。電圧転換ユニットが調光マッチング回路に連結され、対称交流電源を受信するとともに、安定直流電源に転換することができる。駆動チップが電圧転換ユニットに連結されるとともに、安定直流電源を受信でき、かつ発光ダイオードユニットの光源輝度を駆動かつ調整できる。
【０００７】
この考案の実施形態中、上記した調光マッチング回路が、第１マッチング入力端と第２マッチング入力端と第１マッチング出力端と第２マッチング出力端とを有する。調光マッチング回路が第１キャパシターと第１抵抗器〜第４抵抗器とを含む。第１抵抗器が第１マッチング入力端および第１マッチング出力端間に連結され、第２抵抗器が第２マッチング入力端および前記第２マッチング出力端間に連結される。第１キャパシターの第１端が第１マッチング出力端に連結され、前記第１キャパシターの第２端が第３抵抗器および第４抵抗器の一端に連結され、第３抵抗器ならびに第４抵抗器の別な一端が第２マッチング出力端に連結される。そのうち、第１ならびに第２マッチング入力端が交流電源を受信するために使用され、第１ならびに第２マッチング出力端が対称交流電源を出力するために使用される。
【０００８】
この考案の実施形態中、上記した電圧転換ユニットがブリッジ整流器を含み、それが調光マッチング回路に連結される。ブリッジ整流器が上記対称交流電源を受信できるとともに、対称交流電源に対して全波整流を行い、安定直流電源を出力する。また、電圧転換ユニットが更にフィルターキャパシターを含む。フィルターキャパシターの第１端がブリッジ整流器に連結されて安定直流電源を受信し、フィルターキャパシターの第２端が接地電位に連結される。
【０００９】
この考案の実施形態中、上記した駆動チップが更に駆動ユニットと降圧回路とを含む。降圧回路が上記安定直流電源を受信するとともに、駆動ユニットの電圧規格に従って安定直流電源を降圧直流電源へ転換する。駆動ユニットが降圧直流電源を受信して発光ダイオードユニットの光源輝度を駆動かつ調整する。
【００１０】
この考案の実施形態中、上記した駆動チップが更に検知ユニットを含み、それが降圧回路に連結される。検知ユニットが降圧直流電源を検知するために使用されるとともに、降圧直流電源が最小操作電圧よりも低く検知された時、駆動ユニットに発光ダイオードユニットの駆動を停止するよう強制する。
【００１１】
この考案の実施形態中、上記した駆動チップがＭＲ１６電器規格に適合する発光ダイオードユニットの駆動チップであることができる。
【００１２】
この考案の実施形態中、上記した調光器が少なくとも三極管交流スイッチ（トライアック）を含むものである。
【００１３】
別な角度から見ると、この考案は、発光ダイオードユニットの照明設備を提供し、この照明設備が調光制御ユニットと駆動装置とを含む。調光制御ユニットが導通条件に従って交流電源を発生させることができる。駆動装置が交流電源に従い発光ダイオードユニットの光源輝度を駆動かつ調整できる。そのうち、駆動装置が調光マッチング回路と電圧転換ユニットと駆動チップとを含むことができる。調光マッチング回路が交流電源を受信するとともに、交流電源の正のハーフサイクルエネルギーおよび負のハーフサイクルエネルギーを同一なものとして、対称交流電源を発生させる。電圧転換ユニットが調光マッチング回路に連結され、それが対称交流電源を受信かつ安定直流電源に転換できる。駆動チップが電圧転換ユニットに連結され、それが安定直流電源を受信するとともに発光ダイオードユニットの光源輝度を駆動かつ調整する。
【００１４】
この考案の実施形態中、上記した調光マッチングユニットが調光器と変圧ユニットとを含む。調光器が使用者の設定する導通条件に従って調光電源を発生させることができ、調光器に連結された変圧ユニットが調光電源を受信かつ調整する。
【考案の効果】
【００１５】
つまり、この考案中、調光マッチングユニットの交流電源を制御することで発光ダイオードユニットの輝度を調整してチラツキ現象の発生を回避できるように、調光マッチング回路を利用し交流電源の正負ハーフサイクルの波形を対称となるよう（言い換えれば、調光マッチング回路が交流電源の正負ハーフサイクルのエネルギーを同一となるよう）調整し、駆動電源を安定させることにより駆動チップが発光ダイオードユニットの輝度を安定して制御できるようにして、調光プロセス期間に発光ダイオードユニットのチラツキ現象を回避する。
【図面の簡単な説明】
【００１６】
【図１】この考案の実施形態にかかる発光ダイオード照明設備を示すブロック図である。
【図２】図１の調光マッチング回路を示す回路図である。
【図３】図１の電圧変換ユニットを示す回路図である。
【図４】図１の駆動チップを示すブロック図である。
【考案を実施するための形態】
【００１７】
以下、この考案を実施するための形態を図面に基づいて説明する。
この考案の模範的実施形態を詳細に参照し、添付した図面において、その模範的実施形態の実例を説明する。また、およそ可能である部分について、図面および実施方式中、同一符号の素子／部材が同一または類似する部分を表すものとする。
【００１８】
図１において、図１は、この考案の実施形態にかかる発光ダイオード照明設備１００を示すブロック図である。図１に示すように、照明設備１００を電気スタンド、つり下げ式ランプなどのランプ設備と見なすことができ、調光制御ユニット１１０は、照明設備１００の調光スイッチならびにランプベース部分と見なすことができるとともに、駆動装置１２０と発光ダイオードユニット１８０とは、一括して照明設備１００の発光ダイオード（ＬＥＤ）ランプ１９０と見なすことができる。
【００１９】
この実施形態中、調光制御ユニット１１０は、調光器１３０と変圧ユニット１４０とを含み、駆動装置１２０は、調光マッチング回路１５０と電圧転換ユニット１６０と駆動チップ１７０とを含む。基本的に、調光器１３０は、トライアック（Tri-electrode AC switch = TRIAC）をその基本主体の枠組とすることができる。しかも、調光器１３０は、使用者がトライアックのゲート制御端Ｇに設定した導通条件（conducting condition）によりトライアックの端末Ａ１および端末Ａ２の電圧波形を調整して、入力電源ＩＡＣ（例えば、商用電圧１２０Ｖであるが、これに限定されず、[訳注]日本では、商用電圧１００Ｖである）を調光電源ＤＡＣ（例えば、１２０Ｖの有効電圧値）に調整する。
【００２０】
また、変圧ユニット１４０は、電子変圧器をその基本主体の枠組とすることができる。この実施形態中、変圧ユニット１４０は、調光電源ＤＡＣを受信できるとともに、調光電源ＤＡＣの有効電圧値を交流電源ＡＣ（例えば、１２Ｖであるが、これに限定されない）に調整する。さらに、発光ダイオードユニット１８０は、複数の発光ダイオードからなることができるとともに、この技術領域に習熟した者が実際の設計要求に従って発光ダイオードの数量および連結方式を調整できる。
【００２１】
ここで、この考案の実施形態のキーポイントは、照明設備のベースならびに調光スイッチ部分を変更しない状況（即ち、調光制御ユニット１１０を変更しないとともに、調光制御ユニット１１０は変更できない部分である）のもと、たとえ元の抵抗式ランプ（例えば、ハロゲンランプまたはタングステンフィラメントランプなど）をキャパシター性のＬＥＤランプ１９０に交換しても、ＬＥＤランプ１９０によって提供される光源にチラツキ現象を発生させないことにある。言い換えれば、この実施形態の駆動装置１２０は、調光制御ユニット１１０の発生させる交流電源ＡＣに基づいて発光ダイオードユニット１８０の光源輝度を駆動かつ調整する能力を備える。
【００２２】
さらに、交流電源ＡＣは、通常、調光制御ユニット１１０の回路にマッチングせず（not matched）、入力電源ＩＡＣノイズ干渉またはその他の要因によって、交流電源ＡＣの正および負のハーフサイクル電圧波形が互いにマッチングしない（即ち、交流電源ＡＣの正のハーフサイクルのエネルギーが交流電源ＡＣの負のハーフサイクルのエネルギーと異なる）。従って、もしもマッチングしない交流電源ＡＣを直接利用して現在のＬＥＤ駆動器と組み合わせてＬＥＤランプを駆動する場合、ＬＥＤランプの光源輝度はほぼチラツキ現象を発生させる。
【００２３】
そこで、この実施形態中、駆動装置１２０中の調光マッチング回路１５０がマッチングしない交流電源ＡＣを受信するとともに、交流電源ＡＣの正のハーフサイクルのエネルギーと負のハーフサイクルのエネルギーとを同一化させて、比較的安定した対称交流電源ＳＡＣを発生させる。このようにして、調光マッチング回路１５０に連結された電圧転換ユニット１６０が対称交流電源ＳＡＣを受信するとともに、安定直流電源ＳＤＣへ変換する。また、駆動チップ１７０が電圧転換ユニット１６０に連結されて、安定直流電源ＳＤＣを受信し、かつ駆動信号ＤＳを発生させて発光ダイオードユニット１８０の光源輝度を駆動かつ調整する。
【００２４】
さらに詳細に言うと、図２は、図１の調光マッチング回路１５０を示す回路図である。図２において、調光マッチング回路１５０は、キャパシターＣ１と抵抗器Ｒ１〜Ｒ４とを含むとともに、調光マッチング回路１５０がマッチング（matching）入力端Ｎin＋とマッチング入力端Ｎin−とマッチング出力端Ｎout＋とマッチング出力端Ｎout−とを有する。そのうち、マッチング入力端Ｎin＋およびＮin−は、マッチングしない交流電源ＡＣを受信するために使用され、マッチング出力端Ｎout＋およびマッチング出力端Ｎout−は、比較的安定した対称交流電源ＳＡＣを出力するために使用される。
【００２５】
この実施形態中、抵抗器Ｒ１がマッチング入力端Ｎin＋ならびにマッチング出力端Ｎout＋間に連結され、抵抗器Ｒ２がマッチング入力端Ｎin−ならびにマッチング出力端Ｎout−に連結される。また、キャパシターＣ１の第１端がマッチング出力端Ｎout＋に連結され、キャパシターＣ１の第２端が抵抗器Ｒ３および抵抗器Ｒ４の一端に連結される。さらに、抵抗器Ｒ３および抵抗器Ｒ４の別な一端は、調光マッチング回路１５０のマッチング出力端Ｎout−に連結される。
【００２６】
このようにして、抵抗器Ｒ１およびキャパシターＣ１を使用してローパスフィルターの効果を達成することができ、交流電源ＡＣ中の高いエネルギーパルスを濾過する。他方、この実施形態は、また交流電源ＡＣの正のハーフサイクルおよび負のハーフサイクルのエネルギー状態（例えば、正負ハーフサイクルの電圧変動状況であるが、これに限定されない）に基づいて抵抗器Ｒ２，Ｒ３およびＲ４の電気抵抗値を調整し、交流電源ＡＣに対するマッチングを行うとともに、その波形を安定させ、交流電源ＡＣの正のハーフサイクルおよび負のハーフサイクルのエネルギー状態を同一化して、対称交流電源ＳＡＣを発生させる。つまり、調光マッチング回路１５０は、交流電源ＡＣの正の電圧波形および負の電圧波形を同一化することにより、対称交流電源ＳＡＣを発生させる。
【００２７】
その一方、図３は、図１の電圧変換ユニット１６０を示す回路図である。図３において、この実施形態中、電圧変換ユニット１６０は、ブリッジ整流器（bridge rectifier）ＢＲとフィルターキャパシターＣfを含むことができる。ブリッジ整流器ＢＲが調光マッチング回路１５０および駆動チップ１７０間に連結されて、対称交流電源ＳＡＣを受信するために使用されるとともに、それに対して全波整流を行うことにより安定直流電源ＳＤＣを出力する。フィルターキャパシターＣfの第１端がブリッジ整流器ＢＲに連結されて、安定直流電源ＳＤＣを受信し、フィルターキャパシターＣfの第２端が接地電位Ｖssに連結されて、安定直流電源ＳＤＣに対する濾波を行う。
【００２８】
さらに、図４は、図１の駆動チップ１７０を示すブロック図である。図４において、この実施形態中、駆動チップ１７０は、ＭＲ１６電器規格に適合する発光ダイオード駆動チップから選択することができる。また、駆動チップ１７０が駆動ユニット４１０と降圧（buck）回路４２０と検知ユニット４３０とを含む。そのうち、降圧回路４２０が安定直流電源ＳＤＣを受信するとともに、駆動ユニット４１０の電圧規格に従い安定直流電源ＳＤＣを転換して、降圧直流電源ＢＤＣを発生させ、駆動ユニット４１０の必要とする操作電圧として供するが、この技術領域に習熟した者であれば降圧回路の設計原理および操作方式を理解しているので、ここでは繰り返さない。駆動ユニット４１０が降圧直流電源ＢＤＣを受信するとともに、駆動信号ＤＳを発生させて発光ダイオードユニット１８０（図１）を駆動し、かつ、その光源輝度を調整する。
【００２９】
検知ユニット４３０が降圧回路４２０および駆動ユニット４１０に連結されて降圧直流電源ＢＤＣを検知するとともに、駆動ユニット４１０の電源規格に従い、降圧直流電源ＢＤＣが駆動ユニット４１０の最小操作電圧より低いか否か検知する。一旦、検知ユニット４３０が、降圧直流電源ＢＤＣが駆動ユニット４１０の最小操作電圧より低いことを検知すると、検知ユニット４３０が制御信号ＳＤを発生させて駆動ユニット４１０に発光ダイオードユニット１８０（図１）の駆動を停止するよう強制する。
【００３０】
例えば、この実施形態の駆動チップ１７０（図１）がＭＲ１６電器規格に適合するので、駆動チップ１７０の操作電圧が６Ｖから３０Ｖの範囲である。言い換えれば、降圧直流電源ＢＤＣが６Ｖより大きいとともに３０Ｖより小さい時、駆動ユニット４１０が降圧直流電源ＢＤＣに応答して順調に発光ダイオードユニット１８０（図１）を駆動する。反対に、検知ユニット４３０が、降圧直流電源ＢＤＣが駆動チップ１７０の最小操作電圧（即ち、ＭＲ１６電器規格の最小操作電圧６Ｖ）より小さいことを検知する時、検知ユニット４３０が制御信号ＳＤを駆動ユニット４１０へ送信して、駆動ユニット４１０に発光ダイオードユニット１８０の駆動を停止するよう強制する。
【００３１】
まとめると、この実施の形態では、調光制御ユニットの交流電源に発光ダイオードユニットの輝度を調整させ、チラツキを発生させないようにするため、調光マッチング回路を利用し交流電源の正負ハーフサイクルの波形を対称となるよう（言い換えれば、調光マッチング回路が交流電源の正負ハーフサイクルのエネルギーを同一となるよう）調整し、駆動電源を安定させることにより駆動チップが発光ダイオードユニットの輝度を安定して制御できるようにして、調光プロセス期間に発光ダイオードユニットのチラツキ現象を回避する。
【００３２】
以上のように、この考案を実施形態により開示したが、もとより、この考案を限定するためのものではなく、当業者であれば容易に理解できるように、この考案の技術思想の範囲内において、適当な変更ならびに修正が当然なされうるものであるから、その実用新案権保護の範囲は、実用新案請求の範囲および、それと均等な領域を基準として定めなければならない。
【符号の説明】
【００３３】
１００    発光ダイオードの照明設備
１１０    調光制御ユニット
１２０    駆動装置
１３０    調光器
１４０    変圧ユニット
１５０    調光マッチング回路
１６０    電圧転換ユニット
１７０    駆動チップ
１８０    発光ダイオードユニット
１９０    発光ダイオードランプ
４１０    駆動ユニット
４２０    降圧回路
４３０    検知ユニット
ＡＣ    交流電源
ＩＡＣ    入力電源
ＤＡＣ    調光電源
ＳＡＣ    対称交流電源
ＤＳ    駆動信号
ＳＤＣ    安定直流電源
ＢＣＤ    降圧直流電源
ＳＤ    制御信号
Ｎin＋，Ｎin−    マッチング入力端
Ｎout＋，Ｎout−    マッチング出力端
Ｃ１    キャパシター
Ｃf    フィルターキャパシター
Ｒ１〜Ｒ４    抵抗器
ＢＲ    ブリッジ整流器
Ｖss    接地電位
Ａ１，Ａ２    トライアック（ＴＲＩＡＣ＝三極管交流スイッチ）の末端
Ｇ    トライアック（ＴＲＩＡＣ＝三極管交流スイッチ）のゲート端
【図１】
0003172933.tif 000003
【図２】
0003172933.tif 000004
【図３】
0003172933.tif 000005
【図４】
0003172933.tif 000006